(57)【要約】【課題】振動検知手段へのアクセスを困難とすると共に、コスト低減を可能とする。【解決手段】板状部材２１の後側に取り付けられた設置部材４５には、板状部材２１に設けられた第１特別入賞装置３１の第３装着口３８ｃより後方に、振動検知センサ７０を収容した状態に設置可能なセンサ設置部６０が後方へ開口するよう設けられる。センサ設置部６０の開口縁には、該センサ設置部６０に設置した振動検知センサ７０からの配線７３を引き出し可能な配線挿通部６４が設けられる。振動検知センサ７０を設置したセンサ設置部６０の開口は、設置部材４５に設けられた第２中継基板設置部５３に設置した第２中継基板５７により後方から覆われる。【選択図】図７
2016041197.tif 000002
【特許請求の範囲】
【請求項１】
前面に遊技領域が形成された板状部材と該板状部材の後側に取り付けられた設置部材とを有する遊技盤に、遊技球の挙動により特典が変化する遊技部品と、前記遊技盤の振動を検知する振動検知手段とが配設された遊技機において、
前記設置部材には、前記板状部材に設けられた前記遊技部品の装着部より後方に、前記振動検知手段を収容した状態に設置可能な検知手段設置部が後方へ開口するよう設けられ、
前記検知手段設置部の開口縁には、該検知手段設置部に設置した前記振動検知手段からの配線を引き出し可能な配線挿通部が設けられ、
前記振動検知手段を設置した前記検知手段設置部の開口を後方から覆う蓋部材が、前記設置部材に取り付けられる
ことを特徴とする遊技機。
【請求項２】
前記装着部は、前記板状部材における前記遊技領域の最下部に設けられて該遊技領域を流下した遊技球を該板状部材の裏側へ排出するアウト口の近傍に設けられた請求項１記載の遊技機。
【請求項３】
前記検知手段設置部は、前記設置部材の後壁の後面に設けられた基板設置部に、後方へ開口するように設けられ、
前記遊技盤に配設された電気部品からの配線が接続される基板を前記基板設置部に取り付けることで、前記振動検知手段を設置した前記検知手段設置部の開口が後方から覆われるよう構成した請求項１または２記載の遊技機。
【発明の詳細な説明】
【技術分野】
【０００１】
この発明は、前面に遊技領域が形成された板状部材と該板状部材の後側に取り付けられた設置部材とを有する遊技盤に、遊技球の挙動により特典が変化する遊技部品と、遊技盤の振動を検知する振動検知手段とが配設された遊技機に関するものである。
【背景技術】
【０００２】
例えば遊技機の代表例の一つであるパチンコ機は、遊技店に設けた設置枠台に対して固定される外枠と、該外枠に対して回動可能に軸支される中枠と、該中枠に着脱可能に配設されてパチンコ球(遊技球)が流下可能な遊技領域を形成した遊技盤と、中枠に対して回動可能に軸支されて遊技盤を透視保護する前枠とを基本的に備えている。遊技盤は、遊技領域内に入賞装置や入球装置等が配設された板状部材と、該板状部材の裏側に取り付けられて図柄表示装置や演出装置等が配設された設置部材とを備え、遊技領域にパチンコ球を打ち出すことで所要の遊技が行なわれるよう構成されている。ここで、入賞装置や入球装置等の遊技部品では、遊技球の挙動により入賞位置が異なるよう構成されて、該遊技球の入賞位置に応じて特典が変化するものがある。このような遊技球の挙動により特典が変化する遊技部品を備えたパチンコ機にあっては、前枠を叩いたり揺らす等の行為により遊技者が遊技盤を意図的に振動させて、前述した遊技部品における遊技球の挙動を強制的に変化させて、高い特典が得られる入賞位置に遊技球を誘導させる不正行為が行われることがある。このような不正行為を発見するために、振動検知センサを装備したパチンコ機が知られている(特許文献１)。
【先行技術文献】
【特許文献】
【０００３】
【特許文献１】特開２００４−２２３００４号公報
【発明の概要】
【発明が解決しようとする課題】
【０００４】
前述した振動検知センサは、遊技盤における遊技部品の配設位置や当該パチンコ機の遊技性を考慮したうえで、振動を適切に検知可能な位置に設置する必要がある。そこで、従来のパチンコ機では、遊技盤における設置部材の板状部材側(前側)において入賞装置の周囲に臨む位置や、前枠の内側における遊技盤の近傍部位等に、振動検知センサを配設している。このため、振動検知センサは、パチンコ機の前側から不正目的で挿入した器具によるアクセスが容易な位置に設置されているため、振動検知センサの機能を妨害したり該振動検知センサを故障させる不正行為を防止し得ない難点がある。また、振動検知手段からの配線を、設置部材の裏側に設置される中継基板等まで引き回す作業を要し、該配線の配設作業が面倒な問題もある。更に、振動検知センサを保護するため、振動検知センサを収容可能な取付部材に該振動検知センサを収容してパチンコ機の所要位置に設置することもなされているが、当該取付部材が必要となることで部品点数が増えると共に製造コストが嵩む難点がある。
【０００５】
そこで、本発明は、従来の技術に係る遊技機に内在する前記課題に鑑み、これを好適に解決するべく提案されたものであって、振動検知手段へのアクセスを困難とすると共に、コスト低減を可能とした遊技機を提供することを目的とする。
【課題を解決するための手段】
【０００６】
前記課題を克服し、所期の目的を達成するため、本願の請求項１に係る発明は、
前面に遊技領域(22)が形成された板状部材(21)と該板状部材(21)の後側に取り付けられた設置部材(45)とを有する遊技盤(20)に、遊技球の挙動により特典が変化する遊技部品(31)と、前記遊技盤(20)の振動を検知する振動検知手段(70)とが配設された遊技機において、
前記設置部材(45)には、前記板状部材(21)に設けられた前記遊技部品(31)の装着部(38c)より後方に、前記振動検知手段(70)を収容した状態に設置可能な検知手段設置部(60)が後方へ開口するよう設けられ、
前記検知手段設置部(60)の開口縁には、該検知手段設置部(60)に設置した前記振動検知手段(70)からの配線(73)を引き出し可能な配線挿通部(64)が設けられ、
前記振動検知手段(70)を設置した前記検知手段設置部(60)の開口を後方から覆う蓋部材(57)が、前記設置部材(45)に取り付けられることを要旨とする。
【０００７】
請求項１に係る発明によれば、板状部材の後側に取り付けられた設置部材において、該板状部材に設けられた遊技部品の装着部より後方に設けられた検知手段設置部に振動検知手段を収容して設置したので、装着部に装着した遊技部品の近くで発生する遊技盤の振動を振動検知手段で適切に検知することができる。そして、設置部材に設けられた検知手段設置部が後方へ開口しているので、検知手段設置部に設置した振動検知手段に対して遊技盤の前側から挿入した器具によるアクセスが困難であり、振動検知手段の機能を妨害したり該振動検知手段を故障させる不正行為を防止し得る。また、振動検知手段を設置した検知手段設置部の開口が蓋部材により後方から覆われるので、設置部材の後側からの該振動検知手段へのアクセスも困難にすることができる。更に、検知手段設置部に設置した振動検知手段からの配線は、配線挿通部を通すことで設置部材の後側へ簡単に引き出され、該配線の配設処理が簡単にできる。更に、検知手段設置部が設置部材に一体に形成されており、振動検知手段を収容する取付部材が別途不要であるから、部品点数が多くなることを防止し得ると共にコストが嵩むことを防止し得る。
【０００８】
請求項２に記載の発明では、
前記装着部(38c)は、前記板状部材(21)における前記遊技領域(22)の最下部に設けられて該遊技領域(22)を流下した遊技球を該板状部材(21)の裏側へ排出するアウト口(37)の近傍に設けられたことを要旨とする。
請求項２に係る発明によれば、遊技部品を装着する装着部がアウト口の近傍に位置しているので、検知手段設置部に設置した振動検知手段がアウト口の近くに設置される。これにより、遊技領域を流下した遊技球をアウト口の手前で多数停留させる不正行為の後に、該遊技球の詰まりを解消するためにアウト口の近傍を叩く行為により発生する遊技盤の振動を、振動検知手段で検知することができる。
【０００９】
請求項３に記載の発明では、
前記検知手段設置部(60)は、前記設置部材(45)の後壁(46)の後面に設けられた基板設置部(53)に、後方へ開口するように設けられ、
前記遊技盤(20)に配設された電気部品(42)からの配線が接続される基板(57)を前記基板設置部(53)に取り付けることで、前記振動検知手段(70)を設置した前記検知手段設置部(60)の開口が後方から覆われるよう構成したことを要旨とする。
請求項３に係る発明によれば、設置部材の後壁に設けられた基板設置部に基板を取り付けると、検知手段設置部の開口が該基板により後方から覆われるので、該開口を覆うための蓋部材を別途設ける必要がない。
【発明の効果】
【００１０】
本発明に係る遊技機によれば、検知手段設置部に設置した振動検知手段へのアクセスを困難とし得ると共に、コスト低減が可能となる。
【図面の簡単な説明】
【００１１】
【図１】実施例のパチンコ機の正面図である。
【図２】実施例のパチンコ機に配設される遊技盤の正面図である。
【図３】遊技盤、振動検知センサおよび中継基板を取付けた設置部材、図柄表示装置を、分離した状態を後方左斜め上方から見た分解斜視図である。
【図４】設置部材から第２中継基板および振動検知センサを分離した状態を、後方左斜め上方から見た斜視図である。
【図５】(ａ)は、振動検知センサを前方右斜め上方から見た斜視図であり、(ｂ)は、振動検知センサを後方左斜め上方から見た斜視図である。
【図６】(ａ)は、センサ設置部へ振動検知センサを設置した状態を示す設置部材の部分背面図であり、(ｂ)は、基板設置部に中継基板を設置した設置部材の部分背面図である。
【図７】図２のＸ１−Ｘ１線断面図である。
【図８】図２のＸ２−Ｘ２線断面図である。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機１０を前側(遊技者側)から見た状態で指称する。
【実施例】
【００１３】
(パチンコ機)
図１に示すように、実施例に係るパチンコ機１０は、前後に開口する矩形枠状に形成されて遊技店の図示しない設置枠台に縦置き姿勢で設置される固定枠としての外枠１１の開口前面側に、図２に示す遊技盤２０を着脱可能に保持する本体枠としての中枠１２が、開閉および着脱可能に組み付けられている。遊技盤２０の裏側には、図３に示すように、所定条件の成立(後述する第１始動入賞装置３０の始動入賞口または第２始動入賞装置４０の始動入賞口へのパチンコ球(遊技球)の入賞)を契機として演出用の図柄(以下飾図という)を変動表示させて図柄変動演出を行う演出実行手段としての図柄表示装置４３が、着脱可能に配設されている。また、中枠１２の前面側には、遊技盤２０を透視保護するガラス板や透明な合成樹脂材により形成された透視保護板１９(図１参照)で前後に開口する窓口１３ａを覆うよう構成された装飾枠としての前枠１３が開閉可能に組み付けられると共に、該前枠１３の下部前側に、パチンコ球を貯留する上球皿１４および下球皿１５が組み付けられており、前枠１３の開閉に合わせて上球皿１４および下球皿１５も一体的に開閉するよう構成される。前枠１３には、窓口１３ａの外周を囲繞するようランプ装置１６が配設されると共に、該前枠１３の上部左右に、音声や効果音を出力可能なスピーカ１７が配設されている。すなわち、ランプ装置１６に設けられたＬＥＤ等の発光体(図示せず)を点灯・点滅したり、スピーカ１７から適宜の音声を出力することで、図柄表示装置４３の表示部４３ａでの図柄変動演出に合わせて発光演出や音声演出を行い得るよう構成されている。
【００１４】
また、図１に示すように、前枠１３の右下部には、中枠１２に配設された球発射装置(図示せず)および該前枠１３の裏側に配設された球送り装置(図示せず)を作動する操作ハンドル１８が設けられており、該操作ハンドル１８の回転操作により、球送り装置および球発射装置が連動して作動することで、上球皿１４に貯留されたパチンコ球が所定間隔で１球ずつ遊技盤２０に向けて連続的に発射されるようになっている。なお、上球皿１４および下球皿１５と前枠１３とを別体に形成して、該上球皿１４および下球皿１５を中枠１２に対して開閉可能に組み付けるよう構成したり、上球皿１４を前枠１３と一体とすると共に下球皿１５を前枠１３と別体に形成して、該下球皿１５を中枠１２に対して開閉可能に組み付けてもよい。
【００１５】
(遊技盤)
遊技盤２０は、図２および図３に示すように、アクリルやポリカーボネート等の光透過性の合成樹脂製板やベニア等の木製合板を材質とする略矩形状の板状部材２１と、この板状部材２１の後側に取り付けられた設置部材４５とを備えている。板状部材２１は、中枠１２に設けた遊技盤保持部(図示せず)の内縁形状に整合する外縁形成された略矩形の平板状に形成され、その前側には遊技領域２２が設けられている。板状部材２１の前側には、左下部から右上部にかけて円弧状に延在する外レール２３と、この外レール２３の内側に右下部から左上部にかけて並べて配置された内レール２４と、外レール２３の右上部から内レール２４の右下部までの間が右方へ凹む湾曲形状に構成された盤面飾り部材２５等が配設されており、両レール２３,２４および盤面飾り部材２５で囲まれた内側が遊技領域２２として構成されている。また、遊技領域２２の最下方に、遊技領域２２を流下したパチンコ球を板状部材２１の裏側へ排出するアウト口３７が形成されている。これにより、前枠１３の上球皿１４から中枠１２に配設された球発射装置へ案内されて、該球発射装置から発射されたパチンコ球は、外レール２３と内レール２４との間を通って遊技領域２２の打ち出し側である左上部に打ち出された後に該遊技領域２２内を流下し、該パチンコ球の一部が第１、第２始動入賞装置３０,４０、第１、第２特別入賞装置３１,３２または普通入賞具３３等に入賞し、これらに入賞しないパチンコ球は、アウト口３７から遊技盤２０の裏側へ排出されるようになっている。
【００１６】
板状部材２１には、前後に貫通する複数の装着口３８が開設されており、該装着口３８には、各種の遊技盤設置部品(具体的には枠状装飾体２６、第１始動入賞装置３０および第２始動入賞装置４０、第１特別入賞装置(遊技部品)３１および第２特別入賞装置３２、ゲート部材３４、普通入賞具３３等が各装着口に対し前側から取り付けられる。すなわち、板状部材２１の略中央において前後に大きく開口する第１装着口３８ａには、図２に示すように、前後に開口した演出窓口２６ａが形成されたセンター役とも称される枠状装飾体２６が配設されており、該演出窓口２６ａ内が演出領域とされている。枠状装飾体２６は、複数の装飾部材を環状に連結してユニット化されており、設置部材４５の後側に着脱可能に配設された図柄表示装置４３の表示部４３ａで演出表示される遊技内容に合わせた所定の装飾等が施されている。そして、枠状装飾体２６の演出窓口２６ａには、設置部材４５に配設された図柄表示装置４３の表示部４３ａや、該設置部材４５の前側に配設される可動演出装置や装飾装置等(何れも図示せず)が臨むようになっている。ここで、遊技領域２２は、枠状装飾体２６が配設されることで、該枠状装飾体２６の左側の第１流下領域２２ａおよび該枠状装飾体２６の右側の第２流下領域２２ｂに分けられている。
【００１７】
図２に示すように、枠状装飾体２６の演出窓口２６ａに臨む下側部分に、パチンコ球が転動可能なステージ部２７が左右に延在して設けられていると共に、該ステージ部２７の後側に、透明な部材から形成された透明保護部材２８が配設されている。ステージ部２７は、枠状装飾体２６の左部に形成されて第１流下領域２２ａに開口する球通入口２９と連通しており、該球通入口２９に入ったパチンコ球が、該ステージ部２７上を左右へ転動し得るようになっている。ステージ部２７は、その左右中央、すなわち第１始動入賞装置３０の直上となる位置に、前下がりの傾斜状に形成された溝部２７ａが形成されると共に、該溝部２７ａの左側部分および右側部分は下方へ凹状に湾曲する凹状部２７ｂ,２７ｂが形成されており、左右方向において上下に凹凸している。そして、ステージ部２７は、溝部２７ａおよび各凹状部２７ｂ,２７ｂから前方へのパチンコ球の落下が可能となっており、溝部２７ａから前方へ落下したパチンコ球の第１始動入賞装置３０への入賞確率が、各凹状部２７ｂ,２７ｂから前方へ落下したパチンコ球の第１始動入賞装置３０への入賞確率よりも高く設定されている。但し、パチンコ球は、溝部２７ａから落下しても第１始動入賞装置３０へ入賞しない場合があると共に、各凹状部２７ｂ,２７ｂから落下して第１始動入賞装置３０へ入賞しない場合もある。従って、ステージ部２７は、該ステージ部２７上を転動するパチンコ球の挙動により、第１始動入賞装置３０の始動入賞口へ入る場合と、該第１始動入賞装置３０の始動入賞口へ入らない場合があり、ステージ部２７上を転動するパチンコ球の挙動により特典が変化する遊技部品となっている。
【００１８】
ここで、前述した特典が変化するとは、得られる賞球の多寡や、確変状態等が付与されるか否かの他に、前述したステージ部２７のように、パチンコ球が通出可能な通出部が複数設けられて、パチンコ球が何れの通出部に通出されるかによって入賞確率が変化したり、得られる利益の期待値が変化すること含んだ概念である。
【００１９】
板状部材２１の遊技領域２２内において、板状部材２１における第１装着口３８ａの下方に形成された第２装着口３８ｂには、図２に示すように、第１始動入賞装置３０が配設されている。また、板状部材２１の遊技領域２２内において、第１始動入賞装置３０が配設される第２装着口３８ｂの右隣りから右上方に亘って形成された第３装着口(装着部)３８ｃには、図３に示すように、第１特別入賞装置３１が配設されると共に、装飾部材３９の後側には第２始動入賞装置４０が配設されている。また、枠状装飾体２６の右側部には、第２特別入賞装置３２が配設されている。すなわち、第２始動入賞装置４０と、第１特別入賞装置３１および第２特別入賞装置３２には、遊技領域２２の第２流下領域２２ｂを流下したパチンコ球が入賞可能となっている。更に、板状部材２１の遊技領域２２内において、第１始動入賞装置３０が配設される第２装着口３８ｂの左隣りから左上方に亘って形成された第４装着口３８ｄには、普通入賞具３３が配設されている。また、板状部材２１の遊技領域２２内には、第１流下領域２２ａおよび第２流下流域２２ｂの両方に多数の遊技釘３５が打設され、第１流下領域２２ａに回転案内具３６が配設されると共に、第２流下領域２２ｂにゲート部材３４が配設されている。なお、装着口３８の形成数は、板状部材２１に取り付けられる各種遊技盤設置部品の個数や形状および配設位置等により必要に応じて適宜変更される。
【００２０】
(始動入賞装置)
第１始動入賞装置３０は、始動入賞口が遊技領域２２内で常に上方へ開口する常時開放タイプの入賞口とされ、遊技領域２２を流下するパチンコ球やステージ部２７の溝部２７ａから落下したパチンコ球が常時一定の確率で入賞可能に構成されている。また、第２始動入賞装置４０は、該遊技領域２２に開口する始動入賞口を開閉自在に閉成する開閉部材を備えており、駆動手段の駆動に伴って開閉部材が閉鎖する閉鎖位置および開放する開放位置に変位して、該開閉部材が開放位置に変位した際に始動入賞口が開口するよう構成されている。すなわち、第１始動入賞装置３０は、遊技領域２２を流下するパチンコ球が常時一定の確率で入賞可能に構成され、第２始動入賞装置４０は、遊技領域２２に配設されたゲート部材３４をパチンコ球が通過したことを条件として実施される普図当り判定(普図当り抽選)の結果に応じて開閉部材が開閉することで、パチンコ球の入賞確率を可変し得るよう構成されている。また、第１始動入賞装置３０には、始動入賞口に入賞したパチンコ球を検知する始動入賞センサ３０ａ(図７参照)が配設されると共に、第２始動入賞装置４０にも始動入賞センサ(図示せず)が配設されており、第１始動入賞装置３０の始動入賞センサ３０ａによる球検知信号および第２始動入賞装置４０の始動入賞センサによる球検知信号が、中枠１２の裏側に配設された主制御装置(図示せず)入力される。そして、第１始動入賞装置３０の始動入賞センサ３０ａによる球検知信号および第２始動入賞装置４０の始動入賞センサによるパチンコ球の検知(すなわち第１始動入賞装置３０または第２始動入賞装置４０へのパチンコ球の入賞)を契機として、所定数のパチンコ球が賞球として払い出されるようになっている。また、第１始動入賞装置３０の始動入賞センサ３０ａによる球検知信号および第２始動入賞装置４０の始動入賞センサによるパチンコ球の検知を契機として、図柄表示装置４３の表示部４３ａにおいて図柄変動演出が行われる。
【００２１】
(特別入賞装置)
第１始動入賞装置３０の右隣りに配設された第１特別入賞装置３１は、図２、図３および図７に示すように、横長に開口する特別入賞口を開閉する板状の開閉部材３１ａを備えており、電磁ソレノイドからなる第１駆動手段８６の駆動に伴って該開閉部材３１ａが前後方向へ回動することで特別入賞口を開閉するようになっている。第１特別入賞装置３１は、図７に示すように、装置本体内に、特別入賞口から入賞した全てのパチンコ球が通過することで検知する特別入賞検知手段としての第１特別入賞センサ８０を備えると共に、第１特別入賞センサ８０の設置部の下流側においてパチンコ球の球通路が、該第１特別入賞センサ８０から左側へ延在する特別通出部８３と、該第１特別入賞センサ８０から右側へ延在する通常通出部８４とに左右に分岐している。そして、特別通出部８３の途中には、該特別通出部８３へ通出されたパチンコ球を検知可能な第２特別入賞センサ８１が配設されると共に、通常通出部８４の途中には、該通常通出部８４へ通出されたパチンコ球を検知可能な第３特別入賞センサ８２が配設されている。
【００２２】
また、特別通出部８３と通常通出部８４との分岐部には、電磁ソレノイドからなる第２駆動手段８７により姿勢変位可能に配設された切換え部材８５が配設されている。この切換え部材８５は、第１特別入賞センサ８０で検出されたパチンコ球を通常通出部８４側へ通出案内する第１姿勢と、第２駆動手段８７の駆動に伴い、第１特別入賞センサ８０で検出されたパチンコ球を特別通出部８３側へ通出案内する第２姿勢とに姿勢変位するようになっている。ここで、第２特別入賞センサ８１は、例えば遊技状態を非確変状態から確変状態へ変更する契機となるセンサであって、第１特別入賞装置３１では、切換え部材８５が第２姿勢においてのみ、第１特別入賞センサ８０を通過したパチンコ球が特別通出部８３へ通出されて該第２特別入賞センサ８１で検知され得る。また、第３特別入賞センサ８２は、第２特別入賞センサ８１のような遊技状態の変更の契機となる機能は有しておらず、切換え部材８５が第１姿勢により、第１特別入賞センサ８０を通過したパチンコ球が通常通出部８４へ通出されたことを検知するものである。すなわち、第１特別入賞装置３１は、切換え部材８５が第１姿勢により通常通出部８４へパチンコ球が通出された場合に遊技状態を非確変状態に維持し、切換え部材８５が第２姿勢により特別通出部８３へパチンコ球が通出された場合に遊技状態を非確変状態から確変状態へ変更することから、該第１特別入賞装置３１は、入賞したパチンコ球の挙動に伴って特典(確変状態が付与されるか否か)が変化する遊技部品である。なお、第１〜第３特別入賞センサ８０,８１,８２は、後述する第１中継基板５６に配線接続されて主制御基板に電気的に接続されており、第１特別入賞センサ８０から主制御基板への入賞検知信号の入力に伴って所定数(実施例では１５個)の賞球が払い出されるようになっている。
【００２３】
一方、枠状装飾体２６の右側部に配設された第２特別入賞装置３２は、左右方向へ回動する開閉部材３２ａを備えており、駆動手段の駆動に伴って開閉部材３２ａが閉鎖位置から開放位置へ回動することで特別入賞口が画成されるよう構成されている。この第２特別入賞装置３２には、特別入賞口に入賞したパチンコ球を検知する特別入賞検知手段としての特別入賞センサ(図示せず)が設けられて、該特別入賞センサは、第１中継基板５６に配線接続されて主制御基板に電気的に接続されており、該特別入賞センサから主制御基板への入賞検知信号の入力に伴って所定数(実施例では１５個)の賞球が払い出されるようになっている。ここで、第１特別入賞装置３１の駆動手段および第２特別入賞装置３２の駆動手段は、第１始動入賞装置３０または第２始動入賞装置４０へのパチンコ球の入賞を契機として特別入賞口を開放する当り遊技(大当り遊技)が付与される場合に、当りの種類に応じた所定の開閉条件に従って主制御基板によって駆動制御され、開閉部材３１ａ,３２ａが開放することで特別入賞口に対して多数のパチンコ球が入賞可能となる。
【００２４】
(図柄表示装置)
図柄表示装置４３は、図３に示すように、板状部材２１の後側に取り付けられた設置部材４５に配設され、各種図柄を表示可能な表示部４３ａをなす液晶パネルが収容ケースに収容されたユニット部材である。図柄表示装置４３の収容ケースの後面には、該図柄表示装置４３の表示部４３ａの表示制御を行う表示制御装置や、当該パチンコ機１０の遊技演出を統括的に制御する統括制御基板が収容された統括制御装置が配設されている。図柄表示装置４３の表示部４３ａには、飾図を変動表示可能な図柄列が複数列(例えば３列)設定されており、第１始動入賞装置３０または第２始動入賞装置４０へのパチンコ球の入賞を契機として、各図柄列の飾図が変動開始されると共に背景画像等が表示され、選択された図柄変動演出を行った後に、予め決定された最終停止図柄を、入賞ライン上に停止表示するようになっている。なお実施例では、図柄表示装置４３として、表示部４３ａが液晶パネルである液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。
【００２５】
(主制御装置)
実施例のパチンコ機１０の遊技を総合的に制御する主制御装置の主制御基板は、図柄表示装置４３が配設された設置部材４５に、基板ケースに収容されて配設されている。主制御基板は、制御動作を所定の手順で実行することができるメイン制御ＣＰＵ、メイン制御ＣＰＵの制御プログラムを格納するメイン制御ＲＯＭおよび必要なデータの書き込みおよび読み出しができるメイン制御ＲＡＭを備えている。
【００２６】
主制御基板は、大当り判定用乱数、大当り図柄用乱数、変動パターン振分用乱数、普図当り判定用乱数等の各種乱数の値を所定の周期毎に更新し、更新後の値をメイン制御ＲＡＭの設定領域に記憶(設定)することで更新前の値を書き換えており、乱数更新処理(乱数生成処理)を実行するようになっている。例えば、主制御基板では、第１始動入賞装置３０の始動入賞センサ３０ａまたは第２始動入賞装置４０の始動入賞センサから検知信号が入力されると、メイン制御ＣＰＵがメイン制御ＲＯＭから大当り判定用乱数を取得し、この大当り判定用乱数とメイン制御ＲＯＭに記憶されている大当り判定値とを比較し、大当りとするか否かの大当り判定(大当り抽選)を行う。また主制御基板では、大当り判定の結果が肯定の場合には、変動パターンテーブルから大当り演出用の変動パターンを決定する。これに対して、大当り判定の結果が否定の場合には、変動パターンテーブルからはずれ演出用の変動パターンを決定する。大当り演出用およびはずれ演出用の変動パターンの決定は、大当り判定と同様に、メイン制御ＣＰＵがメイン制御ＲＯＭから取得した乱数により行う。なお、変動パターンテーブルから決定される大当り演出およびはずれ演出の変動パターンは、少なくとも図柄変動演出の変動時間および演出内容を特定するものである。そして、パチンコ機１０では、主制御基板の大当り判定の結果に応じて出力された統括制御基板の制御信号に基づいて、図柄表示装置４３に所定の演出表示を行わせると共に、主制御基板の制御により出力された球払出しに係る制御信号に基づいて、図示しない払出制御装置により制御される球払出装置によって所定数の賞球が上球皿１４または下球皿１５へ払い出される。
【００２７】
(統括制御装置)
統括制御装置の統括制御基板には、統括制御ＣＰＵが備えられると共に、該統括制御ＣＰＵには、統括制御ＲＯＭおよび統括制御ＲＡＭが接続されている。また、統括制御ＣＰＵは、実行可否判定用乱数や動作演出パターン抽選用乱数等の各種乱数の値を所定の周期毎に更新し、更新後の値を統括制御ＲＡＭの設定領域に記憶(設定)して更新前の値を書き換えている。更に、統括制御ＲＯＭには、図柄表示装置４３の表示部４３ａにおける演出内容を制御する表示制御基板、ランプ装置１６を制御するランプ制御基板を統括的に制御するプログラムや、スピーカ１７を制御する音制御基板等を統括的に制御するプログラムや、演出装置を作動制御するプログラム等が記憶されている。
【００２８】
統括制御ＣＰＵは、各種制御コマンドを入力すると、統括制御プログラムに基づき各種制御を実行する。例えば、統括制御基板では、主制御基板のメイン制御ＣＰＵから変動パターン指定コマンドが入力されると、統括制御ＣＰＵが統括制御ＲＯＭから実行可否判定用乱数を取得し、この実行可否判定用乱数と統括制御ＲＯＭに記憶されている実行可否判定値とを比較し、演出装置の可動体演出を実行するか否かの実行可否判定を行う。そして、統括制御基板は、実行可否判定の結果が肯定の場合において、演出装置を動作させる。
【００２９】
(設置部材)
設置部材４５は、図３に示すように、板状部材２１の後面に対向する略矩形状の設置壁部(後壁)４６と、該設置壁部４６の周縁部から前方に延出する外周壁部４７とから前方に開放する箱状に形成されている。外周壁部４７の前端部には、設置部材４５の開口外側へ延出する設置固定部４８が複数形成されている。そして、設置固定部４８を板状部材２１の後面に当接した状態で、各設置固定部４８を該板状部材２１にネジ止めすることで、設置部材４５が板状部材２１に着脱自在に取り付けられる。設置部材４５を板状部材２１に取り付けた状態では、図７および図８に示すように、該板状部材２１および設置部材４５の間に所要の空間Ｓが画成される。設置部材４５には、図柄変動演出に合わせて発光演出および可動演出を行う複数の演出装置(電気部品)４２が配設されており、設置部材４５を板状部材２１に取り付けた状態で、これら演出装置４２が空間Ｓに臨むようになっている。設置壁部４６には、図３に示すように、前後方向に開放する表示窓口４９が設けられており、該設置壁部４６の後側に配設される図柄表示装置４３の表示部４３ａが該表示窓口４９に臨むことで、該表示部４３ａが、枠状装飾体２６の演出窓口２６ａを介して遊技盤２０の前側から視認可能となる。なお、以降の説明において、設置壁部４６における表示窓口４９の下側部分を下設置壁部５０と指称する。
【００３０】
設置部材４５における設置壁部４６の後側には、図３に示すように、図柄表示装置４３を取り付けるための装置設置部５１が設けられている。図柄表示装置４３の後側には、パチンコ機１０の遊技演出を統括的に制御する統括制御装置(図示せず)が配設される。また、下設置壁部５０の後側には、後述する中継基板設置部５２,５３,５４を後方から覆うように主制御装置が主基板ベース(何れも図示せず)を介して着脱自在に配設される。主制御装置は、始動入賞センサや特別入賞センサ、統括制御装置等、各種装置と電気的に接続される。また、主制御装置は、後述する振動検知センサ(振動検知手段)７０が電気的に接続され、該振動検知センサ７０からの出力信号に基づいて、不正行為の発生を判定するようになっている。
【００３１】
(下設置壁部の後側の構成)
下設置壁部５０の後面には、図３および図４に示すように、左右方向に隣接して複数(実施例では３つ)の中継基板設置部５２,５３,５４が設けられている。以降の説明では、図４において右側から、第１中継基板設置部５２、第２中継基板設置部(基板設置部)５３、第３中継基板設置部５４と指称する。第１中継基板設置部５２には、第１中継基板５６が着脱自在に配設され、第２中継基板設置部５３には、第２中継基板(基板、蓋部材)５７が着脱自在に配設されると共に、第３中継基板設置部５４には、第３中継基板(図示せず)が配設される。
【００３２】
(第１中継基板設置部)
第１中継基板設置部５２に配設された第１中継基板５６は、複数のコネクタ５６ａが配設され、後述する振動検知センサ７０から導出された配線７３や、図示省略した各種検知センサ(始動入賞センサ、特別入賞センサ、普通入賞センサ等)から導出する配線(何れも図示せず)が接続される。また、第１中継基板５６は、主制御装置と電気的に接続されており、これら振動検知センサ７０および各種検知センサを主制御装置に中継接続する。
【００３３】
(第２中継基板設置部)
第２中継基板設置部５３は、図３および図４に示すように、下設置壁部５０の後面から後方に突出した状態に形成されている。第２中継基板設置部５３には、第２中継基板５７に形成されたネジ挿通孔５７ａに挿通したネジ(図示せず)が締結されるボス５３ａが、後方へ突出して複数設けられており、該第２中継基板５７は、第２中継基板設置部５３に対してネジ固定される。第２中継基板５７には、複数のコネクタ５７ｂが配設されており、設置部材４５に設けられた演出装置４２や図示省略した演出装置および照明装置等から導出する配線が接続されると共に、統括制御装置から導出する配線が接続され、該第２中継基板５７は、演出装置４２等と統括制御装置とを中継接続する。
【００３４】
(第３中継基板設置部)
第３中継基板設置部５４は、図３および図４に示すように、後面視において略Ｌ字形に形成されている。第３中継基板設置部５４には、第３中継基板に形成されたネジ挿通孔に挿通したネジ(図示せず)が締結されるボス５４ａが、後方へ突出して複数設けられている。図示省略した第３中継基板は、中枠１２の後部右側に固定されたコネクタ(図示せず)に接続されるコネクタと、主制御基板や統括制御基板等が接続されるコネクタとを備えている。そして、遊技盤２０を、中枠１２に設けた遊技盤保持部に対して該中枠１２の前側から装着する際に、第３中継基板のコネクタが中枠１２に固定されたコネクタに前方から接続されるよう構成されている。
【００３５】
(センサ設置部)
図４、図６〜図８に示すように、板状部材２１の後側に取り付けられた設置部材４５に、後方に開口するセンサ設置部(検知手段設置部)６０が設けられている。このセンサ設置部６０には、遊技盤２０の振動を検知する振動検知センサ(振動検知センサ)７０が、収容した状態で設置可能に構成されている。センサ設置部６０は、設置部材４５の設置壁部４６における下設置壁部５０の下部に位置しており、該センサ設置部６０に設置された振動検知センサ７０は、特に遊技盤２０の下側部分に作用する外力に基づく該遊技盤２０の振動を好適に検知可能となっている。
【００３６】
センサ設置部６０は、設置部材４５の設置壁部４６において、パチンコ球の挙動により特典が変化する遊技部品の後方に設けられている。実施例の遊技盤２０においては、前述した第１特別入賞装置３１がパチンコ球の挙動により特典が変化する遊技部品であるから、センサ設置部６０は、図２、図６〜図８に示すように、第１特別入賞装置３１が装着される第３装着口(装着部)３８ｃの後方において、遊技盤２０の前後方向において該第３装着口３８ｃと少なくとも一部が重なる位置に設けられる。ここで、第３装着口３８ｃには、前述した如く、その正面左側に第１特別入賞装置３１が設置されると共に、正面右側(第１特別入賞装置３１の左側)に第２始動入賞装置４０が配設されることから、センサ設置部６０は、第３装着口３８ｃにおける第１特別入賞装置３１が設置される領域部分と遊技盤２０の前後方向において少なくとも一部が重なる位置で、かつ第１特別入賞装置３１の本体後部と僅かな間隔をおいて配設される。なお、実施例では、センサ設置部６０の前面投影面積の１／２以上が、第３装着口３８ｃにおける第１特別入賞装置３１が設置される領域部分と遊技盤２０の前後方向において重なっている(図７、図８参照)。
【００３７】
また、センサ設置部６０が設けられた位置は、図２および図８に示すように、第１装着口３８ａの下部後方に位置しており、該第１装着口３８ａに取り付けられた枠状装飾体２６に設けられたステージ部２７の下部後方に設けられている。すなわち、センサ設置部６０は、正面視において、ステージ部２７における凹状部２７ｂの下方に位置していると共に、センサ設置部６０は、設置部材４５の外周壁部４７の前後寸法よりも短い間隔で、ステージ部２７の下部後方に離間している。
【００３８】
また、実施例の遊技盤２０は、図２および図７に示すように、第３装着口３８ｃの左側方にアウト口３７に設けられていることで、センサ設置部６０が設けられた位置は、該アウト口３７の右上後方となっている。すなわち、センサ設置部６０は、正面視において、アウト口３７の右上後方に位置している。そして、センサ設置部６０は、設置部材４５の外周壁部４７の前後寸法よりも短い間隔で、アウト口３７の右上後方に離間している。
【００３９】
すなわち、センサ設置部６０は、図２に示すように正面視において、ステージ部２７の下方において、該ステージ部２７の溝部２７ａの真下に配置された第１始動入賞装置３０と該第１始動入賞装置３０の右横に配置された第１特別入賞装置３１との間に位置している。また、センサ設置部６０は、上下に配置されたステージ部２７およびアウト口３７の間に位置している。そして、センサ設置部６０は、第１特別入賞装置３１、ステージ部２７およびアウト口３７において、該第１特別入賞装置３１に最も近い位置に配置されており、該センサ設置部６０に配設した振動検知センサ７０が、遊技盤２０における第１特別入賞装置３１の付近での振動に対して敏感に反応し得るようになっている。また、センサ設置部６０が、ステージ部２７およびアウト口３７の間に位置していることで、該センサ設置部６０に配設した振動検知センサ７０が、遊技盤２０におけるステージ部２７付近での振動およびアウト口３７付近での振動にも適切に反応し得るようになっている。
【００４０】
センサ設置部６０は、図４、図７および図８に示すように、設置部材４５の設置壁部４６における下設置壁部５０に一体的に形成され、該下設置壁部５０から前方へ突出すると共に後方へ開口する矩形状の凹状部である。そして、センサ設置部６０には、後方へ開口したセンサ収容空間６１が画成されている。実施例では、第３装着口３８ｃに装着した第１特別入賞装置３１の近くで、かつステージ部２７およびアウト口３７にも近い位置とするため、センサ設置部６０は、第２中継基板設置部５３の下部中央に設けられている。
【００４１】
センサ設置部６０は、下設置壁部５０に一体的に形成され、センサ設置部６０を上下および左右から囲む周壁部６２と、該周壁部６２の前縁に一体的に形成され、センサ設置部６０の前壁を画成する前壁部６３とを備えている。周壁部６２の前後寸法は、振動検知センサ７０のケース体７１の高さ寸法Ｗ３(図５参照)以上に設定されており、センサ収容空間６１に縦向きに設置した該振動検知センサ７０は、センサ設置部６０から後方(第２中継基板設置部５３)へ突出しないようになっている。また、センサ収容空間６１の上下および左右寸法は、振動検知センサ７０のケース体７１の縦寸法Ｗ１および横寸法Ｗ２(図５参照)より大きく設定されており、センサ収容空間６１に縦向きに設置した該振動検知センサ７０と周壁部６２との間には隙間が画成されるようになっている。周壁部６２と前壁部６３とは、該周壁部６２の前縁全周で連なっており、該周壁部６２と前壁部６３との境界部分には、開口やスリットが形成されていない。すなわち、センサ設置部６０のセンサ収容空間６１は、設置部材４５の前側へ開口しておらず、センサ設置部６０は、下設置壁部５０の前側からセンサ収容空間６１へのアクセスが不可能に構成されている。
【００４２】
(配線挿通部)
センサ設置部６０には、図４および図８に示すように、センサ収容空間６１に収容して設置した振動検知センサ７０から導出された配線７３を、該センサ収容空間６１から外方へ引き出し可能な配線挿通部６４が設けられている。配線挿通部６４は、センサ設置部６０の開口縁において、周壁部６２における下周壁６２ａの後縁に設けられている。すなわち、周壁部６２の下周壁６２ａは、該周壁部６２における該下周壁６２ａ以外の部分(左右周壁および上周壁)よりも前後寸法(前壁部６３から後方への立ち上がり寸法)を小さく形成してあり、該下周壁６２ａの後方に、配線７３が挿通可能な配線挿通部６４が画成されている。
【００４３】
(センサ取付部材)
センサ設置部６０には、図４および図６(ａ)に示すように、振動検知センサ７０を前壁部６３に取り付けるセンサ取付部材６５が固定されるよう構成されている。センサ取付部材６５は、振動検知センサ７０のケース体７１に係止可能な円板状の係止部６５ａを備えたネジ付き棒状部材である。また、前壁部６３には、センサ取付部材６５が締結可能なネジ締結ボス６６が複数(実施例では２つ)設けられている。各ネジ締結ボス６６は、振動検知センサ７０のケース体７１における対角となる角部７１ａ,７１ａに隣接する位置に設けられており、各ネジ締結ボス６６にセンサ取付部材６５を締結することで、該センサ取付部材６５の係止部６５ａがケース体７１における対角の角部７１ａ,７１ａに夫々係止することで、振動検知センサ７０が、センサ収容空間６１に収容された状態で前壁部６３に固定される。
【００４４】
(第２中継基板とセンサ設置部との関係について)
図３、図６(ｂ)、図７および図８に示すように、第２中継基板設置部５３に第２中継基板５７を取り付けた第２中継基板５７は、振動検知センサ７０を設置したセンサ設置部６０の開口を後方から覆う蓋部材として機能するよう構成されている。すなわち、第２中継基板設置部５３に取り付けた第２中継基板５７は、振動検知センサ７０の後方に離間して、該振動検知センサ７０と前後に重なる位置関係となり、設置部材４５の後側からセンサ設置部６０はほぼ視認不能となる。このため、センサ設置部６０に収容して設置された振動検知センサ７０は、第２中継基板５７により設置部材４５の後側へ露出しないので、該振動検知センサ７０に他部材が接触することによる該振動検知センサ７０の取付不良や故障の発生を防止し得ると共に、振動検知センサ７０に対する不正行為を目的した異物も挿入し難くなっている。
【００４５】
(振動検知センサについて)
振動検知センサ７０は、図５(ａ)および図５(ｂ)に示すように、検知した振動を電気信号に変換する機能を備えた基板(図示せず)を、ケース体７１に収容して構成されている。ケース体７１の一側面には、内部に収容された基板に実装されたコネクタ７２を外部へ露出するための開口が形成されており、該開口から外方へ露出したコネクタ７２に配線７３が接続されるようになっている。コネクタ７２に接続された配線７３は、第１中継基板設置部５２に設置された第１中継基板５６における所定のコネクタに接続され、振動検知センサ７０は該第１中継基板５６を介して主制御基板に接続され、振動検知センサ７０からの検知信号が主制御基板へ出力されるようになっている。
【００４６】
センサ設置部６０に設置した振動検知センサ７０は、前枠１３の窓口１３ａの周囲において、板状部材２１の第３装着口３８ｃに装着された第１特別入賞装置３１、ステージ部２７およびアウト口３７の前方部分を叩いた場合等、通常遊技状態時に発生する振動よりも大きい遊技盤２０の振動を検知し得る。これにより、第１特別入賞装置３１の特別入賞口へ入賞したパチンコ球を、遊技状態を変更する契機となる特別通出部８３の方向へ行き易くするために遊技盤２０の下側部分を振動させる不正行為を、振動検知センサ７０により検知し得る。また、ステージ部２７上を左右に転動するパチンコ球を、溝部２７ａに行き易くするために遊技盤２０の下側部分を振動させる不正行為を、振動検知センサ７０により検知し得る。更に、アウト口３７の周囲に複数のパチンコ球を積み重ねる不正行為後に、積み重ねた該パチンコ球を崩すために遊技盤２０の下側部分を振動させる行為を、振動検知センサ７０により検知し得る。なお、振動検知センサ７０は、当該パチンコ機１０が通常遊技状態時に発生する振動、例えば球発射装置、球送り装置、可動演出装置の作動による遊技盤２０の振動も検知し得るものであるが、主制御基板では、通常遊技状態時に発生する振動による振動検知センサ７０からの検知信号は無効とする処理が行われるようになっている。
【００４７】
〔実施例の作用〕
次に、前述した実施例のパチンコ機１０の作用について、以下説明する。
【００４８】
〔センサ設置部〕
センサ設置部６０は、設置部材４５の成形時に、該設置部材４５の設置壁部４６における下設置壁部５０に一体に形成される。従って、振動検知センサ７０を収容する取付部材が別途不要であるから、部品点数が多くなることを防止し得ると共にコストが嵩むことを防止し得る。
【００４９】
下設置壁部５０に一体に形成されたセンサ設置部６０は、設置部材４５の設置壁部４６における下設置壁部５０から前方へ開口していないので、センサ設置部６０のセンサ収容空間６１に設置した振動検知センサ７０は、設置部材４５で隠されて遊技盤２０(板状部材２１)の前側からは視認不能となっている。これにより、センサ設置部６０の形成箇所が設置部材４５の前側から判別し得ないと共に、振動検知センサ７０による不正対策が施されていることを不正行為者に覚知されるのを回避し得る。
【００５０】
また、センサ設置部６０は、設置部材４５の後方にのみ開口して該設置部材４５の前方には開口していないので、センサ設置部６０のセンサ収容空間６１に設置される振動検知センサ７０に対して遊技盤２０の前側から挿入した器具によるアクセスが困難である。これにより、遊技盤２０の前側から挿入した器具により、振動検知センサ７０の機能を妨害したり該振動検知センサ７０を故障させる不正行為を防止し得る。
【００５１】
〔振動検知センサの取り付け〕
振動検知センサ７０をセンサ設置部６０に取り付ける場合には、該振動検知センサ７０を、設置部材４５の後側からセンサ設置部６０の開口を介して、前壁部６３にケース体７１の底部を対向させると共にコネクタ７２が図４および図６(ａ)の右側に向いた姿勢で、各センサ取付部材６５をネジ締結ボス６６に締結する。これにより、各センサ取付部材６５の係止部６５ａが、振動検知センサ７０のケース体７１における対角に位置する角部７１ａ,７１ａに後方(前壁部６３と反対側)から係止され、該ケース体７１が前壁部６３および各センサ取付部材６５の係止部６５ａで前後から挟まれることで、振動検知センサ７０がセンサ収容空間６１内に取り付けられる。これにより、振動検知センサ７０は、センサ設置部６０のセンサ収容空間６１内に、ケース体７１の底部が前方に向いた姿勢で取り付けられ、衝撃や振動によりがたついたり脱落が発生しないように固定される。また、センサ設置部６０に設置された振動検知センサ７０は、センサ収容空間６１から後方へ突出せず(図７、図８参照)、第２中継基板設置部５３に設置した第２中継基板５７との干渉しないようになっている。これにより、第２中継基板設置部５３に第２中継基板５７を設置する際に、振動検知センサ７０が邪魔になるのを防止し得る。
【００５２】
振動検知センサ７０のコネクタ７２に接続された配線７３は、周壁部６２の下周壁６２ａの後方に設けられた配線挿通部６４を介して、センサ収容空間６１から下設置壁部５０の後側へ引き出した状態とする。配線７３は、第１中継基板設置部５２に設置された第１中継基板５６の所定のコネクタに接続することで、振動検知センサ７０が第１中継基板５６を介して主制御基板に電気的に接続される。このように、センサ設置部６０を設置部材４５の後側に後方へ開口するように設けたので、該センサ設置部６０に設置した振動検知センサ７０から導出した配線７３を、第１中継基板５６に容易に接続することができ、配線７３の配設作業を効率的に行い得る。
【００５３】
〔第２中継基板の取り付け〕
センサ設置部６０に対する振動検知センサ７０の設置完了後に、第２中継基板５７を、第２中継基板設置部５３に対してネジにより設置する。これにより、図６(ｂ)、図７および図８に示すように、センサ設置部６０の後方開口は、第２中継基板５７でほぼ覆われ、センサ設置部６０に設置された振動検知センサ７０は、第２中継基板５７により設置部材４５の後方へ露出しない。これにより、実施例のパチンコ機１０では、振動検知センサ７０を設置したセンサ設置部６０の開口が蓋部材としての第２中継基板５７により後方から覆われるので、設置部材４５の後側から振動検知センサ７０へのアクセスを困難にすることができる。また、第２中継基板５７によりセンサ設置部６０の開口が後方から覆われるので、該開口を覆うための蓋部材を別途設ける必要がないから、これによってもコストを削減し得る。
【００５４】
〔振動検知センサの配設位置について〕
板状部材２１の後側に設置部材４５を取り付けた実施例の遊技盤２０では、図２、図７および図８に示すように、センサ設置部６０に設置した振動検知センサ７０が、該板状部材２１の下部後方において、第３装着口３８ｃに装着した第１特別入賞装置３１における本体後部のすぐ後に位置している。また、センサ設置部６０に設置した振動検知センサ７０は、枠状装飾体２６に設けられたステージ部２７の下部後方で、かつアウト口３７の右上後方に位置している。これにより、遊技盤２０におけるステージ部２７より下側部分で発生した振動は、１基の該振動検知センサ７０で適切に検知可能となっている。
【００５５】
〔第１特別入賞装置に対する不正行為の検知について〕
第１特別入賞装置３１では、図７に示すと共に前述したように、切換え部材８５が第２姿勢に姿勢変位したタイミングで、第１特別入賞センサ８０で検知されたパチンコ球が特別通出部８３および通常通出部８４の分岐部に到達すると、当該パチンコ球が特別通出部８３へ通出されて第２特別入賞センサ８１で検知されることで、遊技状態が非確変状態から確変状態へ変更する契機となる。このため、第１特別入賞センサ８０で検知されたパチンコ球が分岐部に到達するタイミングで、切換え部材８５が第１姿勢にある場合に、前枠１３の窓口１３ａの周囲下部を叩いて遊技盤２０に振動を与え、該振動により第１姿勢の切換え部材８５を第２姿勢へ姿勢変位させたり、パチンコ球が分岐部に到達するタイミングを強制的に変更させて、当該パチンコ球を特別通出部８３側へ通出させるようとする不正行為が行われることがある。しかしながら、実施例のパチンコ機１０では、第１特別入賞装置３１の切換え部材８５を第２姿勢に姿勢変位させるために遊技盤２０を振動させた場合に、振動検知センサ７０が遊技盤２０の当該振動を好適に検知するので、遊技盤２０の振動により第１姿勢の切換え部材８５を第２姿勢へ姿勢変位させたり、パチンコ球が分岐部に到達するタイミングを強制的に変更させて、当該パチンコ球を特別通出部８３側へ通出させようとする不正行為を好適に認識することができる。
【００５６】
〔ステージ部に対する不正行為の検知について〕
ステージ部２７では、図２に示すと共に前述したように、該ステージ部２７上を左右へ転動するパチンコ球の挙動により、該パチンコ球が第１始動入賞装置３０の始動入賞口へ入る場合と、該パチンコ球が第１始動入賞装置３０の始動入賞口へ入らない場合とがあり、ステージ部２７上を転動するパチンコ球の挙動により特典が変化する。このため、例えば、ステージ部２７上を左右へ転動するパチンコ球が左右の凹状部２７ｂ,２７ｂで止まりそうなタイミングで、前枠１３の窓口１３ａの周囲下部を叩いて遊技盤２０に振動を与え、該振動によりパチンコ球を溝部２７ａへ移動させて、当該パチンコ球を該溝部２７ａから前方へ通出させるようとする不正行為が行われることがある。しかしながら、実施例のパチンコ機１０では、ステージ部２７上のパチンコ球を溝部２７ａへ移動させるために遊技盤２０を振動させた場合に、振動検知センサ７０が遊技盤２０の当該振動を好適に検知するので、遊技盤２０の振動によりステージ部２７のパチンコ球を溝部２７ａへ移動させて、当該パチンコ球を第１始動入賞装置３０の始動入賞口へ入賞させようとする不正行為を好適に認識することができる。
【００５７】
〔アウト口に対する不正行為の検知について〕
遊技盤２０では、アウト口３７の周囲に多数のパチンコ球を多数停留させて該パチンコ球が第１始動入賞装置３０の始動入賞口や第１特別入賞装置３１の特別入賞口の高さ位置まで積み上がるようにして、遊技領域２２を流下したパチンコ球が、積み上がったパチンコ球上に移動して第１始動入賞装置３０や第１特別入賞装置３１へ入り易くする不正行為が行われることがある。そして、当該不正行為が行われた後に、積み上がったパチンコ球を崩すために、前枠１３の窓口１３ａの周囲下部を叩いて遊技盤２０に振動を与え、該振動によりパチンコ球を崩す行為が行われる。しかしながら、実施例のパチンコ機１０では、アウト口３７の周囲に積み上がったパチンコ球を崩すために遊技盤２０を振動させた場合に、振動検知センサ７０が遊技盤２０の当該振動を好適に検知するので、遊技盤２０の振動によりアウト口３７の周囲に積み上げられたパチンコ球を崩して、当該パチンコ球をアウト口３７を介して排出させようとする不正行為を好適に認識することができる。
【００５８】
〔主制御装置の報知制御について〕
主制御装置は、振動検知センサ７０からの検知信号に伴って遊技盤２０の振動に伴う不正行為の発生を認識すると、統括制御装置に制御信号を出力して、図柄表示装置４３、ランプ装置１６およびスピーカ１７等に不正行為の発生を報知させる。すなわち、図柄表示装置４３では、表示部４３ａに不正行為発生の旨を表示させ、スピーカ１７では不正行為の発生の旨を音声出力させ、ランプ装置１６では、不正行為の発生のために設定された発光制御に基づいて発光させる。これにより、遊技盤２０を振動させる不正行為の発生を、遊技場内の従業員等に速やかに報知することができる。なお、遊技盤２０を振動させる不正行為の報知は、図柄表示装置４３の表示部４３ａ、ランプ装置１６およびスピーカ１７の全てを作動させることに限らず、何れか１つ以上を作動させるようにしてもよい。
【００５９】
主制御装置は、パチンコ機１０の裏側に設けた外部端子板(図示せず)を介して遊技場の管理室等に設置されたホールコンピュータに電気的に接続されている。従って、主制御装置は、遊技盤２０の振動に伴う振動検知センサ７０からの検知信号により不正行為を判定すると、ホールコンピュータに対して所定のセキュリティ信号を出力する。
【００６０】
〔変更例〕
なお、前述した実施例は、以下に示す通り、種々の変更が可能である。
（１）設置部材における検知手段設置部の形成位置は、板状部材に設けられた遊技球の挙動により特典が変化する遊技部品の装着部より後方で、該遊技部品に近い位置であればよく、該装着部と前後方向で完全に重なった位置や、該装着部と前後方向で重ならない位置に設けるようにしてもよい。また、検知手段設置部の形成位置は、設置部材の下部に限るものではなく、遊技部品の配設位置に合わせて決定される。
（２）遊技球の挙動により特典が変化する遊技部品は、実施例で例示した特別入賞装置やステージ部に限るものではなく、例えば第２種パチンコ機における遊技盤の遊技領域に配設されて、入球領域を開閉する開閉部材を備えると共に、特典が異なる複数の入賞口を装置内部に備えた可動入賞装置や、回転部材の複数の特典が異なる入賞口を備えた可動入賞装置等も対象とされる。
（３）検知手段設置部は、設置部材と別体に構成したものであってもよい。すなわち、検知手段設置部は、後方へ開口した箱状に形成されて、板状部材に設けられた遊技球の挙動により特典が変化する遊技部品の装着部より後方において設置部材に固定するよう構成したものであってもよい。
（４）蓋部材は、実施例で例示した中継基板に限るものではなく、検知手段設置部の開口を覆い得るサイズの蓋部材を別途準備して、該蓋部材を検知手段設置部の開口を覆った状態で設置部材に取り付けるようにしてもよい。
（５）検知手段のケース体に取付部を設けて、該取付部を検知手段設置部の壁部にネジ等で固定することで、当該検知手段を検知手段設置部に固定するようにしてもよい。
（６）実施例では、遊技機としてパチンコ機を例示したが、遊技機はアレンジボール機等も対象とされる。
【符号の説明】
【００６１】
２０ 遊技盤
２１ 板状部材
２２ 遊技領域
３１ 第１特別入賞装置(遊技部品)
３７ アウト口
３８ｃ 第３装着口(装着部)
４２ 演出装置(電気部品)
４５ 設置部材
４６ 設置壁部(後壁)
５３ 第２中継基板設置部(基板設置部)
５７ 第２中継基板(基板、蓋部材)
６０ センサ設置部(検知手段設置部)
６４ 配線挿通部
７０ 振動検知センサ(振動検知手段)
７３ 配線
【図１】
2016041197.tif 000003
【図２】
2016041197.tif 000004
【図３】
2016041197.tif 000005
【図４】
2016041197.tif 000006
【図５】
2016041197.tif 000007
【図６】
2016041197.tif 000008
【図７】
2016041197.tif 000009
【図８】
2016041197.tif 000010